(57)【要約】  本開示は、緊急メッセージ２０４を通信ネットワーク内、特にローカル公衆陸上モバイルネットワーク（ＰＬＭＮ）２００内で処理する方法であって、ユーザー機器（ＵＥ）によって、通信ネットワーク２００のネットワークスライス２４０のアクセスネットワークエンティティ２４１、２４２に緊急メッセージ２０４を送信することであって、緊急メッセージ２０４は緊急識別子（Ｅ＿ＩＤ）を含むことと、通信ネットワーク２００のネットワークスライス２４０のアクセスネットワークエンティティ２４１、２４２によって、Ｅ＿ＩＤに基づいて、緊急メッセージ２０４が緊急事態に関連していることを検出することと、緊急事態の検出に基づいて緊急メッセージ２０４を通信ネットワーク２００の緊急ネットワークスライス２５０にフォワードすることと、緊急ネットワークスライス２５０によって、ＵＥ２０２と、緊急メッセージ２０４を処理する緊急応答機関（ＰＳＡＰ）２６０との間の通信リンクを確立することとを含む、方法に関する。【選択図】図２
2021507636.tif 000002
【特許請求の範囲】
【請求項１】
緊急メッセージ（２０４）を通信ネットワーク内、特にローカル公衆陸上モバイルネットワーク（ＰＬＭＮ）（２００）内で処理する方法であって、
ユーザー機器（ＵＥ）によって、前記通信ネットワーク（２００）のネットワークスライス（２４０）のアクセスネットワークエンティティ（２４１、２４２）に緊急メッセージ（２０４）を送信することであって、前記緊急メッセージ（２０４）は緊急識別子（Ｅ＿ＩＤ）を含むことと、
前記通信ネットワーク（２００）の前記ネットワークスライス（２４０）の前記アクセスネットワークエンティティ（２４１、２４２）によって、前記Ｅ＿ＩＤに基づいて、前記緊急メッセージ（２０４）が緊急事態に関連していることを検出することと、
前記緊急事態の検出に基づいて前記緊急メッセージ（２０４）を前記通信ネットワーク（２００）の緊急ネットワークスライス（２５０）にフォワードすることと、
前記緊急ネットワークスライス（２５０）によって、前記ＵＥ（２０２）と、前記緊急メッセージ（２０４）を処理する緊急応答機関（ＰＳＡＰ）（２６０）との間の通信リンクを確立することと、
を含む、方法。
【請求項２】
前記ネットワークスライス（２４０）の前記アクセスネットワークエンティティ（２４１、２４２）と、前記緊急ネットワークスライス（２５０）のアクセスネットワークエンティティ（２５２）との間の専用通信インターフェース（Ｅ１、Ｅ２）を介して、前記緊急メッセージ（２０４）を前記緊急ネットワークスライス（２５０）にフォワードすること、
を含む、請求項１に記載の方法。
【請求項３】
前記緊急メッセージ（２０４）を前記緊急ネットワークスライス（２５０）にフォワードするように、前記ネットワークスライス（２４０）の前記アクセスネットワークエンティティ（２４１、２４２）、特に前記ネットワークスライス（２４０）の無線アクセスネットワーク（ＲＡＮ）エンティティ（２４１）又はＡＭＦエンティティ（２４２）内で、ルーティングテーブルを構成すること、
を含む、請求項２に記載の方法。
【請求項４】
前記ＵＥ（２０２）の識別番号（ＵＥ  ＩＤ）と前記専用通信インターフェース（Ｅ１、Ｅ２）の識別子とに基づいて、前記ＵＥ（２０２）と前記緊急ネットワークスライスとの間のルートを、前記ルーティングテーブルにおいて作成することを含み、前記ＵＥ  ＩＤは、前記緊急メッセージ（２０４）内に含まれ、前記専用通信インターフェース（Ｅ１、Ｅ２）の前記識別子は既知である、請求項３に記載の方法。
【請求項５】
前記緊急ネットワークスライス（２５０）に向けられていない前記ルーティングテーブル内の他のルートに対して、前記ＵＥ（２０２）と前記緊急ネットワークスライス（２５０）との間の前記ルートの優先順位を上げること、
を含む、請求項４に記載の方法。
【請求項６】
前記ネットワークスライス（２４０）の前記アクセスネットワークエンティティ（２４１、２４２）によって、ハンドオーバーメッセージを前記ＵＥ（２０２）に送信することを含み、前記ハンドオーバーメッセージは、緊急メッセージを処理するように構成された特定の緊急ＲＡＮエンティティ（２５１）に接続するように前記ＵＥ（２０２）に要求する、請求項１乃至５のいずれか一項に記載の方法。
【請求項７】
前記特定の緊急ＲＡＮエンティティ（２５１）は、前記緊急ネットワークスライス（２５０）の専用緊急ＲＡＮエンティティ（２５１）であるか、又は、ＲＡＮリソースが緊急メッセージを処理するために予約された前記ネットワークスライス（２４０）の前記アクセスネットワークエンティティ（２４１）のＲＡＮリソースから形成される、請求項６に記載の方法。
【請求項８】
前記ネットワークスライス（２４０）の前記アクセスネットワークエンティティ（２４１、２４２）によって、前記緊急メッセージがローミングＵＥ（２０２）からのものであることを検出することであって、前記検出は、前記緊急メッセージ（２０４）内に含まれた前記ＵＥ（２０２）の識別番号（ＵＥ  ＩＤ）に基づくことと、
前記ローミングＵＥ（２０２）からの前記緊急メッセージ（２０４）を、前記緊急メッセージ（２０４）を処理する前記緊急ネットワークスライス（２５０）にフォワードすることと、
を含む、請求項１乃至７のいずれか一項に記載の方法。
【請求項９】
前記ネットワークスライス（２４０）の前記アクセスネットワークエンティティ（２４１、２４２）によって、前記ＵＥのロケーションを検出して、ロケーション識別子、特に前記ＵＥ（２０２）のロケーションエリアコード（ＬＡＣ）又は追跡エリアコード（ＴＡＣ）を取得することと、
前記緊急メッセージ（２０４）を前記ロケーション識別子とともに前記緊急ネットワークスライス（２５０）にフォワードすることと、
を含む、請求項１乃至８のいずれか一項に記載の方法。
【請求項１０】
前記緊急ネットワークスライス（２５０）によって、前記Ｅ＿ＩＤに基づいて、ボイスオーバーＩＰ機能を有効にする特定のＩＰマルチメディアサブシステム（ＩＭＳ）アプリケーション機能（ＡＦ）を決定することと、
前記緊急ネットワークスライス（２５０）によって、前記特定のＩＭＳ  ＡＦに基づいて前記ＵＥと前記ＰＳＡＰ（２６０）との間の前記通信リンクを確立することと、
を含む、請求項９に記載の方法。
【請求項１１】
前記緊急ネットワークスライス（２５０）によって、前記ＵＥ（２０２）のロケーションと前記緊急メッセージ（２０４）のタイプとに基づいて、複数のＰＳＡＰから、前記緊急メッセージ（２０４）を処理する前記ＰＳＡＰ（２６０）を決定すること、
を含む、請求項１乃至１０のいずれか一項に記載の方法。
【請求項１２】
通信ネットワーク（２００）、特にローカル公衆陸上モバイルネットワーク（ＰＬＭＮ）（２００）の緊急ネットワークスライス（２５０）であって、該緊急ネットワークスライスは、ネットワークアクセスエンティティ（２５２）、特に、ＡＭＦエンティティ（２５２）であって、
前記通信ネットワーク（２００）のネットワークスライス（２４０）を介してユーザー機器（ＵＥ）から緊急メッセージ（２０４）を受信し、なお、前記緊急メッセージ（２０４）は、緊急識別子（Ｅ＿ＩＤ）と前記ＵＥの識別番号（ＵＥ  ＩＤ）とを含み、
前記Ｅ＿ＩＤ及び前記ＵＥ  ＩＤに基づいて前記緊急メッセージ（２０４）を処理するように、前記ＵＥと、緊急応答機関（ＰＳＡＰ）（２６０）との間の通信リンクを確立する、
ように構成された、ＡＭＦエンティティを含む、緊急ネットワークスライス。
【請求項１３】
請求項１２に記載の緊急ネットワークスライス（２５０）であって、前記ネットワークアクセスエンティティ（２５２）は、
前記Ｅ＿ＩＤに基づいて、ボイスオーバーＩＰ機能を有効にする特定のＩＰマルチメディアサブシステム（ＩＭＳ）アプリケーション機能（ＡＦ）を決定し、
前記特定のＩＭＳ  ＡＦに基づいて前記ＵＥと前記ＰＳＡＰ（２６０）との間の前記通信リンクを確立する、
ように構成される、緊急ネットワークスライス。
【請求項１４】
通信ネットワーク（２００）、特にローカル公衆陸上モバイルネットワーク（ＰＬＭＮ）（２４０）のネットワークスライスのアクセスネットワークエンティティ（３００、２４１、２４２）であって、
ユーザー機器（ＵＥ）から緊急メッセージ（２０４）を受信し、前記緊急メッセージ（２０４）を前記通信ネットワーク（２４０）の緊急ネットワークスライス（２５０）に送信するように構成された通信インターフェース（３０２）であって、前記緊急メッセージ（２０４）は緊急識別子（Ｅ＿ＩＤ）を含む、通信インターフェースと、
前記Ｅ＿ＩＤに基づいて、前記緊急メッセージ（２０４）が緊急事態に関連することを検出し、前記通信インターフェース（３０２）を介して前記緊急メッセージ（２０４）を前記緊急ネットワークスライス（２５０）にフォワードするように構成されたプロセッサ（３０１）と、
を備える、アクセスネットワークエンティティ。
【請求項１５】
請求項１４に記載のアクセスネットワークエンティティ（３００、２４１、２４２）であって、前記緊急メッセージ（２０４）を前記緊急ネットワークスライス（２５０）にフォワードするためのルートを記憶するように構成されたルーティングテーブルを含み、
前記プロセッサは、前記緊急ネットワークスライス（２５０）に向けられていない前記ルーティングテーブルの他のルートに対して、前記緊急ネットワークスライス（２５０）に向けられている前記ルーティングテーブルのルートの優先順位を上げるように構成される、アクセスネットワークエンティティ。
【発明の詳細な説明】
【技術分野】
【０００１】
本発明は、緊急ネットワークスライスと、パケット交換通信ネットワーク、特にローカル通信ネットワークにおいて緊急通信を処理する技法とに関する。本発明は、訪問先通信ネットワークにおいてローミングユーザー機器（ＵＥ）の緊急メッセージを処理することに更に関する。
【背景技術】
【０００２】
世界中のオペレーターは現在、５Ｇネットワークへの移行に向けて準備をしている。５Ｇに向けて計画されている広範囲のサービスをサポートするために、次世代コア、すなわちＮＧコアとして知られる新たなコアネットワークが計画されている。その構造については、例えば、３ＧＰＰの技術仕様書ＴＳ  ２３．５０１（Ｖ１．５．０）に記載されている。この技術仕様書は、５Ｇサービス指向型コアネットワークを設計及び運用するための要件を規定している。
【０００３】
サービス指向型５Ｇコアネットワークは、５Ｇが非常に種々の性能要件を有する非常に種々のサービスをサポートするという前提に基づいている。５Ｇについて３つの異なるサービスカテゴリが識別されている。すなわち、１）拡張型モバイルブロードバンド（ｅＭＢＢ）、２）マッシブマシンタイプ通信（ｍＭＴＣ、ＩｏＴ（モノのインターネット）としても知られている）、及び３）超低遅延（ＵＲ−ＬＬＣ）通信である。
【０００４】
これには、産業制御、拡張現実（ＡＲ）又は拡張現実／仮想現実（ＶＲ）及びネットワーク接続車等の使用事例又は応用シナリオが含まれている。目標は、エンドツーエンドネットワークスライスを用いて、物理ネットワークインフラストラクチャ上でこれらの多様なサービス及び技術をマッピング及びサポートすることである。このようにして、オペレーターは、フォーリンネットワーク（foreign network：外部ネットワーク）セクターにおいて新たなサービスを運用するとともに、自身のネットワークを新たなインダストリアルバリューチェーン内に挿入することができる。
【０００５】
緊急呼は通常、こうした緊急呼を、割り当てられた緊急応答機関（ＰＳＡＰ：Public Safety Answering Point）にルーティングするＶｏＩＰシステムのローカルインスタンスを用いて作成される。ローミングの場合の１つの問題は、緊急呼を常にローカルネットワークによってハンドリングしなければならない、ということである。
【発明の概要】
【発明が解決しようとする課題】
【０００６】
本発明の目的は、上述した問題を解決する、特に、ローカル通信ネットワーク内のＵＥ、例えば、訪問先ＰＬＭＮ内のローミングＵＥのための緊急呼のサービングを向上し、したがって、特に上述した５Ｇ通信ネットワーク内をローミングする際の緊急サービスの性能及び融通性を高める概念を提供することである。
【０００７】
本発明の更なる目的は、緊急サービスに関して５Ｇローミングアーキテクチャを簡略化する新たなシステムアーキテクチャを導入することである。
【課題を解決するための手段】
【０００８】
上記目的及び他の目的は、独立請求項の主題によって達成される。更なる実施態様が、従属請求項、説明及び図面から明らかである。
【０００９】
本開示は、緊急呼スライス（ＲＡＮ及びコアネットワークスライスからなることができる）を、緊急呼が当該スライスを離れず、優先され、ローカルにルーティングされ得るように、提供するという発想に基づいている。緊急呼はＶｏＩＰサービスを介して送信することができる。
【００１０】
以下に提示される方法及びシステムは、種々のタイプとすることができる。記載される個々の要素は、ハードウェア構成要素又はソフトウェア構成要素、例えば、種々の技術によって製造することができ、例えば、半導体チップ、ＡＳＩＣ、マイクロプロセッサ、デジタル信号プロセッサ、集積電気回路、電気光学回路、及び／又は受動部品を含む電子部品によって実現することができる。
【００１１】
以下に提示されるデバイス、システム及び方法は、通信ネットワークを介して情報を送信することが可能である。通信ネットワークという用語は、信号の送信が行われる技術インフラストラクチャを指す。通信ネットワークは、本質的に、信号の送信及びスイッチングが、固定デバイスとモバイル無線ネットワーク又は固定ネットワークのプラットフォームとの間で行われるスイッチングネットワークと、信号の送信が、ネットワークアクセスデバイスと通信端末との間で行われるアクセスネットワークとを含む。通信ネットワークは、モバイル無線ネットワークの構成要素と固定ネットワークの構成要素との双方を含むことができる。モバイルネットワークでは、アクセスネットワークは、エアインターフェースとも呼ばれ、例えば、上述したような通信端末、例えば、モバイルフォン又はモバイルアダプターを備えたモバイルデバイス又は機械端末に対する通信を確立する、モバイルアンテナを備えた基地局（ＮｏｄｅＢ、ｅＮｏｄｅＢ、無線セル）を含む。固定ネットワークでは、アクセスネットワークは、例えば、有線に基づいて複数の参加者の通信端末を接続するＤＳＬＡＭ（デジタル加入者線アクセスマルチプレクサー）を含む。スイッチングネットワークを介して、通信を他のネットワーク、例えば他のネットワークオペレーター、例えばフォーリンネットワークに転送することができる。
【００１２】
以下に提示される通信ネットワークは、例えば５Ｇシステムアーキテクチャに従った種々の技術及びネットワーク規格を含むことができる。これにはネットワークスライシングの概念が含まれる。ネットワークスライシングとは、固定ネットワークにおけるソフトウェア定義ネットワーク化（ＳＤＮ）及びネットワーク機能仮想化（ＮＦＶ）と同じ原理を用いる仮想ネットワークアーキテクチャの一形態である。ＳＤＮ及びＮＦＶは、従来のネットワークアーキテクチャを、ソフトウェアを通じてではあるが、ともにリンクすることができる仮想要素にパーティション化することによって、より大きなネットワーク融通性を提供するのに用いられる。
【００１３】
ネットワークスライシングによって、複数の仮想ネットワークを、共通の物理インフラストラクチャ上に構築することが可能になる。仮想ネットワークは、その後、アプリケーション、サービス、デバイス、顧客又はオペレーターの特有の需要に適合される。
【００１４】
各仮想ネットワーク（ネットワークスライス）は、特定の使用事例の需要をサポートする論理ネットワーク機能の独立したセットを含む。ここで、「論理」という用語はソフトウェアを指す。
【００１５】
こうした仮想ネットワーク又はネットワークスライスの各々は、対応するセグメントを用いた特定のサービス及びトラフィックのためにリソース及びネットワークトポロジーを提供するように最適化される。速度、容量、接続性及びカバレッジ等の特徴は、各使用事例の特有の需要を満たすように割り当てられるが、機能構成要素を、異なるネットワークスライスにわたって共有することもできる。
【００１６】
各ネットワークスライスは、ネットワークスライスが別のネットワークスライス内のトラフィックを妨害することができなくなるように完全に分離させることができる。これによって、新たな技術又はアーキテクチャを分離されたスライス上で開始することができるので、新たなサービスの導入及び運用のリスクが低減するとともに、マイグレーションもサポートされる。これは、サイバー攻撃が或るスライスを破壊した場合、この攻撃は封じ込められ、当該スライスを超えて拡散することができないのでセキュリティにも影響を与える。
【００１７】
各ネットワークスライスは、自身のネットワークアーキテクチャ、エンジニアリング機構、及びネットワーク配置によって構成される。これを行うために、各ネットワークスライスは、応用に応じてネットワークオペレーター又は顧客によって制御することができる管理能力を受け取ることができる。ネットワークスライスは、独立して管理及びオーケストレーションすることができる。
【００１８】
ローミングシナリオでは、本明細書においてユーザー機器（ＵＥ）とも表記される通信端末、すなわち、モバイル端末、自動運転車又はドローン等の機械端末の動作を開始する場合、ＵＥが訪問先ネットワーク又は外部通信ネットワーク内に位置するとき、現在は複雑な手順が必要である。この手順は、ホームＰＬＭＮ（公衆陸上モバイルネットワーク）とも表記されるホーム通信ネットワークから、ＵＥの加入者固有データをフェッチしてＵＥに通知するために必要である。ＵＥのこうした加入者固有データは、識別情報及び電話番号、例えば、ＩＭＳＩ（国際モバイル加入者識別番号）、ＩＭＥＩ（国際モバイル機器識別番号）又はＳＩＭ  ＩＤ（加入者識別モジュール識別番号）等、訪問先ＰＬＭＮ内のＵＥの登録及び／又は認証データを含むことができる。さらに、訪問先ＰＬＭＮとも呼ばれる訪問先ネットワークにログインするには、訪問先ＰＬＭＮの許可された能力及び／又はポリシー、例えば、ネットワーク技術、いくつかの特定のサービスのサポート等が必要とされる。
【００１９】
第１の態様によれば、本発明は、緊急メッセージを通信ネットワーク内、特にローカル公衆陸上モバイルネットワーク（ＰＬＭＮ）内で処理する方法であって、ユーザー機器（ＵＥ）によって、通信ネットワークのネットワークスライスのアクセスネットワークエンティティに緊急メッセージを送信することであって、緊急メッセージは緊急識別子（Ｅ＿ＩＤ）を含むことと、通信ネットワークのネットワークスライスのアクセスネットワークエンティティによって、Ｅ＿ＩＤに基づいて、緊急メッセージが緊急事態に関連していることを検出することと、緊急事態の検出に基づいて緊急メッセージを通信ネットワークの緊急ネットワークスライスにフォワードすることと、緊急ネットワークスライスによって、ＵＥと、緊急メッセージを処理する緊急応答機関（ＰＳＡＰ）との間の通信リンクを確立することとを含む、方法に関する。
【００２０】
これによって、緊急ネットワークスライスが、緊急呼のために予約された特定のネットワークリソースを表すという利点が提供される。したがって、こうした緊急呼に特別なリソースが利用可能であるので、緊急事態をより高速に処理することができる。したがって、緊急呼スライス（ＲＡＮ及びコアネットワークスライスからなることができる）は、緊急呼が、当該スライスを離れる必要がなく、優先され、ローカルにルーティングされ得るように提供される。緊急呼は、ＶｏＩＰサービスを介して送信することができる。
【００２１】
一例示的な実施態様では、方法は、通信ネットワークのネットワークスライスのアクセスネットワークエンティティと、緊急ネットワークスライスのアクセスネットワークエンティティとの間の専用通信インターフェース（Ｅ１、Ｅ２）を介して、緊急メッセージを緊急ネットワークスライスにフォワードすることを含む。
【００２２】
これによって、特別なインターフェースが、緊急呼の送信及び処理のために予約されるという利点が提供される。これによって、緊急メッセージが、ネットワーク全体においていかなる輻輳又はオーバーロードもトラバースすることができるので、反応時間が改善される。
【００２３】
一例示的な実施態様では、方法は、緊急メッセージを緊急ネットワークスライスにフォワードするように、通信ネットワークのアクセスネットワークエンティティ、特に無線アクセスネットワーク（ＲＡＮ）エンティティ又はＡＭＦエンティティ内で、ルーティングテーブルを構成することを含む。
【００２４】
これによって、ルーティングテーブルが緊急メッセージのフォワーディングを加速することができるという利点が提供される。例えば、緊急メッセージ内の緊急識別子Ｅ＿ＩＤに基づいて、ルーティングテーブルは、緊急メッセージを通常のメッセージルートから外す（deroute）ことができる。これによって、緊急メッセージの処理が加速する。
【００２５】
一例示的な実施態様では、方法は、ＵＥの識別番号（ＵＥ  ＩＤ）と専用通信インターフェース（Ｅ１、Ｅ２）の識別子とに基づいて、ＵＥと緊急ネットワークスライスとの間のルートを、ルーティングテーブルにおいて作成することを含み、ＵＥ  ＩＤは、緊急メッセージ内に含まれ、専用通信インターフェース（Ｅ１、Ｅ２）の識別子は既知である。
【００２６】
これによって、ルーティングテーブル内のルートは、こうしたルートを作成するには、緊急メッセージによって転送されるＵＥ  ＩＤ、及びそれぞれのネットワークエンティティにおいて既知であるインターフェース識別子のみが必要であるので、非常に効率的に作成することができるという利点が提供される。代替的に、ＵＥ  ＩＤは、ＵＥが接続するネットワークスライスのアクセスネットワーク要素によって、例えばＲＡＮエンティティ又はＡＭＦエンティティによって検出することができる。
【００２７】
一例示的な実施態様では、方法は、緊急ネットワークスライスに向けられていないルーティングテーブル内の他のルートに対して、ＵＥと緊急ネットワークスライスとの間のルートの優先順位を上げることを含む。
【００２８】
これによって、緊急メッセージを、他のいかなるメッセージよりも高速に処理することができるという利点が提供される。
【００２９】
一例示的な実施態様では、方法は、通信ネットワークのネットワークスライスのアクセスネットワークエンティティによって、ハンドオーバーメッセージをＵＥに送信することを含み、ハンドオーバーメッセージは、緊急メッセージを処理するように構成された緊急ネットワークスライスの特定のＲＡＮエンティティに接続するようにＵＥに要求する。
【００３０】
これによって、ＵＥを、緊急呼又は緊急メッセージの高速処理のために十分な自由リソースを有する特定のＲＡＮエンティティに接続するように推奨することができるという利点が提供される。したがって、緊急事態を非常に効率的に処理及びサービングすることができる。
【００３１】
方法の一例示的な実施態様では、緊急ネットワークスライスの特定のＲＡＮエンティティは、通信ネットワークの専用緊急ＲＡＮエンティティであるか、又は、ＲＡＮリソースが緊急メッセージを処理するのに予約される通信ネットワークのネットワークスライスのアクセスネットワークエンティティのＲＡＮリソースから形成される。
【００３２】
これによって、通信ネットワークの設計を柔軟にハンドリングすることができるという利点が提供される。サービングネットワークスライスの通常のＲＡＮエンティティが、緊急事態のために予約されたリソースの特別な部分を有するか、又は、特別なＲＡＮエンティティ（例えば緊急ネットワークスライスのＲＡＮエンティティ）が、緊急メッセージをサービングするのに用いられる。
【００３３】
一例示的な実施態様では、方法は、通信ネットワークのアクセスネットワークエンティティによって、緊急メッセージがローミングＵＥからのものであることを検出することであって、検出は、緊急メッセージ内に含まれたＵＥの識別番号（ＵＥ  ＩＤ）に基づくことと、ローミングＵＥからの緊急メッセージを、通信ネットワーク内の緊急メッセージを処理する緊急ネットワークスライスにフォワードすることとを含む。
【００３４】
これによって、ローミングＵＥについて、緊急メッセージが、ローカルＰＬＭＮ内で、すなわち、訪問先ＰＬＭＮ内でそのホームＰＬＭＮにコンタクトする必要なしに処理されるという利点が提供される。これによって、緊急処理が加速する。
【００３５】
一例示的な実施態様では、方法は、通信ネットワークのアクセスネットワークエンティティによって、ＵＥのロケーションを検出して、ロケーション識別子、特にＵＥのロケーションエリアコード（ＬＡＣ）又は追跡エリアコード（ＴＡＣ）を取得することと、緊急メッセージをロケーション識別子とともに緊急ネットワークスライスにフォワードすることとを含む。
【００３６】
これによって、ユーザー（ＵＥ）のロケーションを自動的に検出することができるという利点が提供される。したがって、ユーザーの手助けも支援も必要ではない。これによって、緊急事態の解決がより効率的になる。
【００３７】
一例示的な実施態様では、方法は、緊急ネットワークスライスによって、Ｅ＿ＩＤに基づいて、ボイスオーバーＩＰ機能を有効にする特定のＩＰマルチメディアサブシステム（ＩＭＳ）アプリケーション機能（ＡＦ）を決定することと、緊急ネットワークスライスによって、特定のＩＭＳ  ＡＦに基づいてＵＥとＰＳＡＰとの間の通信リンクを確立することとを含む。
【００３８】
これによって、緊急事態を解決する支援のために、呼メッセージをフォワードすることができるという利点が提供される。
【００３９】
一例示的な実施態様では、方法は、緊急ネットワークスライスによって、ＵＥのロケーションと緊急メッセージのタイプとに基づいて、複数のＰＳＡＰから、緊急メッセージを処理するＰＳＡＰを決定することを含む。
【００４０】
これによって、好適なＰＳＡＰ、例えばユーザーに近接したＰＳＡＰを検出することができるという利点が提供される。これによって、緊急事態の解決が加速する。
【００４１】
第２の態様によれば、本発明は、通信ネットワーク、特にローカル通信ネットワークの緊急ネットワークスライスであって、当該緊急ネットワークスライスは、ネットワークアクセスエンティティ、特に、ＡＭＦエンティティであって、通信ネットワークを介してユーザー機器（ＵＥ）から緊急メッセージを受信し、なお、緊急メッセージは、緊急識別子（Ｅ＿ＩＤ）とＵＥの識別番号（ＵＥ  ＩＤ）とを含み、Ｅ＿ＩＤ及びＵＥ  ＩＤに基づいて緊急メッセージを処理するように、ＵＥと、緊急応答機関（ＰＳＡＰ）との間の通信リンクを確立するように構成された、ＡＭＦエンティティを含む、緊急ネットワークスライスに関する。
【００４２】
このような緊急ネットワークスライスは、緊急呼のために予約された特定のネットワークリソースを表す。したがって、このような緊急ネットワークスライスによって、特別なリソースがこうした緊急呼に利用可能であるので、緊急事態をより高速に処理することができる。したがって、緊急呼スライス（ＲＡＮ及びコアネットワークスライスからなることができる）は、緊急呼が当該スライスを離れる必要がなく、優先され、ローカルにルーティングされ得るように提供される。緊急呼は、ＶｏＩＰサービスを介して送信することができる。
【００４３】
緊急ネットワークスライスの一例示的な実施態様では、ネットワークアクセスエンティティは、Ｅ＿ＩＤに基づいて、ボイスオーバーＩＰ機能を有効にする特定のＩＰマルチメディアサブシステム（ＩＭＳ）アプリケーション機能（ＡＦ）を決定し、特定のＩＭＳ  ＡＦに基づいてＵＥとＰＳＡＰとの間の通信リンクを確立するように構成される。
【００４４】
これによって、緊急事態を解決する支援のために、呼メッセージをフォワードすることができるという利点が提供される。
【００４５】
第３の態様によれば、本発明は、通信ネットワーク、特にローカル通信ネットワークのネットワークスライスのアクセスネットワークエンティティであって、ユーザー機器（ＵＥ）から緊急メッセージを受信し、緊急メッセージを通信ネットワークの緊急ネットワークスライスに送信するように構成された通信インターフェースであって、緊急メッセージは緊急識別子（Ｅ＿ＩＤ）を含む、通信インターフェースと、Ｅ＿ＩＤに基づいて、緊急メッセージが緊急事態に関連することを検出し、通信インターフェースを介して緊急検出に基づいた緊急メッセージを緊急ネットワークスライスにフォワードするように構成されたプロセッサとを備える、アクセスネットワークエンティティに関する。
【００４６】
このようなアクセスネットワークエンティティによって、アクセスネットワークエンティティが、緊急呼のために予約された特定のネットワークリソースを表す緊急ネットワークスライスに緊急メッセージを効率的にフォワードすることができるという利点が提供される。したがって、このようなアクセスネットワークエンティティ（緊急ネットワークスライスとともに）によって、特別なリソースがこうした緊急呼に利用可能であるので、緊急事態をより高速に処理することができる。したがって、緊急呼スライス（ＲＡＮ及びコアネットワークスライスからなることができる）は、緊急呼が当該スライスを離れる必要がなく、優先され、ローカルにルーティングされ得るように提供される。緊急呼は、ＶｏＩＰサービスを介して送信することができる。
【００４７】
一例示的な実施態様では、アクセスネットワークエンティティは、緊急メッセージを緊急ネットワークスライスにフォワードするルートを記憶するように構成されたルーティングテーブルを備える。
【００４８】
これによって、ルーティングテーブルが緊急メッセージのフォワーディングを加速することができるという利点が提供される。例えば、緊急メッセージ内の緊急識別子Ｅ＿ＩＤに基づいて、ルーティングテーブルは、通常のメッセージルートから緊急メッセージを外すことができる。これによって緊急メッセージの処理が加速する。
【００４９】
アクセスネットワークエンティティの一例示的な実施態様では、プロセッサは、緊急ネットワークスライスに向けられていないルーティングテーブルの他のルートに対して、緊急ネットワークスライスに向けられたルーティングテーブルのルートの優先順位を上げるように構成される。
【００５０】
これによって、緊急メッセージを他のメッセージよりも高速に処理することができるという利点が提供される。
【００５１】
第４の態様によれば、本発明は、第３の態様によるネットワークエンティティを備える通信ネットワークのネットワークスライスと、第２の態様による緊急ネットワークスライスとを備える、通信システム、特に５Ｇ通信システムに関する。
【００５２】
このような通信システムによって、緊急ネットワークスライスが、緊急呼のために予約された特定のネットワークリソースを表すという利点が提供される。したがって、特別なリソースがこうした緊急呼に利用可能であるので、緊急事態をより高速に処理することができる。したがって、緊急呼スライス（ＲＡＮ及びコアネットワークスライスからなることができる）は、緊急呼が当該スライスを離れる必要がなく、優先され、ローカルにルーティングされ得るように提供される。緊急呼は、ＶｏＩＰサービスを介して送信することができる。
【００５３】
第５の態様によれば、本発明は、コンピューター又はプロセッサ上で実行されると、本発明の第１の態様による方法を実行するプログラムコードを備えたコンピュータープログラム製品に関する。
【００５４】
本発明の実施形態は、ハードウェア及び／又はソフトウェアにおいて実施することができる。
【００５５】
本発明の更なる実施形態が、以下の図面に関して説明される。
【図面の簡単な説明】
【００５６】
【図１】５Ｇ通信ネットワークのシステムアーキテクチャ１００を示す概略図である。
【図２】本開示による、ローカルネットワークスライス２４０及び緊急ネットワークスライス２５０を備える、一例示的なローカル通信ネットワーク２００、例えば訪問先通信ネットワークを示す概略図である。
【図３】本開示による、ローカルネットワークスライス２４０の一例示的なアクセスネットワークエンティティ３００、例えばＲＡＮエンティティ２４１又はＡＭＦエンティティ２４２のブロック図である。
【図４】本開示による、通信ネットワークにおいて緊急メッセージを処理する一例示的な方法４００を示す概略図である。
【発明を実施するための形態】
【００５７】
以下の詳細な説明において、本開示の一部をなす添付の図面を参照し、図面において、例示として本発明を配置することができる特定の態様が示される。他の態様を利用することができるとともに、本発明の範囲から逸脱することなく構造的変更又は論理的変更を行うことができることを理解されたい。したがって、本発明の範囲は添付の特許請求の範囲によって規定されるので、以下の詳細な説明は、限定的な意味で解釈されるべきではない。
【００５８】
例えば、説明される方法に関連した開示は、この方法を実行するように構成された対応するデバイス又はシステムにも適用することができ、その逆の関係も同様に適用することができることを理解されたい。例えば、或る特定の方法ステップが説明される場合、対応するデバイスは、明示的に説明又は図示されていない場合であっても、この説明された方法ステップを実行するユニットを備えることができる。さらに、本明細書において説明される種々の例示的な態様の特徴は、別段の指定がない限り、互いに組み合わせることができることを理解されたい。
【００５９】
以下は、ネットワークアクセスエンティティ等のネットワークエンティティ、及びそのようなネットワークアクセスエンティティ又は無線アクセスネットワーク（ＲＡＮ）エンティティの機能を説明する。ネットワークアクセスエンティティによって、通信ネットワークにおけるアクセス及びモビリティ管理が可能になる。ネットワークアクセスエンティティによって、自身の識別番号（ＵＥ  ＩＤ）を有する通信端末は、通信ネットワーク内に登録するとともに、通信接続をセットアップする許可を受信することができる。例えば、５Ｇ通信ネットワークにおいて、ネットワークアクセスエンティティは、アクセス及びモビリティ管理機能を表すＡＭＦ（アクセス及びモビリティ管理機能）とすることができる。これは、アクセス及びモビリティ制御を管理する。ＡＭＦは、ネットワークスライス選択機能も備えることができる。無線アクセスの場合、モビリティ管理は不要である。ネットワークアクセスエンティティは、例えば、４Ｇ通信ネットワークにおけるＭＭＥ（モビリティ管理エンティティ）とすることができる。ＭＭＥとは、呼及び一般的な通信リンクをセットアップするページング機能と、制御目的のシグナリング機能とを実行する、ＬＴＥ（ロングタームエボリューション）モバイル無線規格のネットワーク構成要素である。ＭＭＥは、コアネットワークとアクセスネットワークとの間のリンクを形成する。ＭＭＥは、ＭＭＥに接続された無線セル内の全てのモバイル通信端末のロケーションを管理する。ＬＴＥシステムにおいて、通常、いくつかのセルが追跡エリアを形成するように結合される。ＭＭＥの管理エリアを、いくつかの追跡エリアに分割することができる。
【００６０】
無線アクセスネットワーク（ＲＡＮ）は、モバイル電気通信システムの一部である。ＲＡＮは、無線アクセス技術（ＲＡＴ）を実装する。概念として、ＲＡＮは、モバイルフォン、コンピューター又は任意のリモート制御される機械等のデバイスの間に存在し、そのコアネットワーク（ＣＮ）との接続を提供する。規格に応じて、モバイルフォン及び他の無線接続デバイスは、ユーザー機器（ＵＥ）、端末機器、モバイル局（ＭＳ）等として、様々な呼称で（varyingly）知られている。ＲＡＮ機能は通常、コアネットワーク及びユーザー機器の双方に存在する、ＲＡＮエンティティ、例えばシリコンチップによって提供される。無線アクセスネットワークタイプの例としては、ＥＤＧＥパケット無線サービスを含むＧＳＭ無線アクセスネットワークであるＧＥＲＡＮ、ＵＭＴＳ無線アクセスネットワークであるＵＴＲＡＮ、ＬＴＥ無線アクセスネットワークであるＥ−ＵＴＲＡＮ、及び５Ｇ  ＲＡＮがある。ＲＡＮエンティティは、例えば、基地局、例えばＮｏｄｅＢ及び／又はｅＮｏｄｅＢ又はＳＧ対応無線セルを含むことができる。
【００６１】
ネットワークアクセスエンティティは、まず事前には未知のセキュリティデバイスとのセキュリティ関係を確立し、次にデバイス自体及びネットワークアクセス機能のネットワークアプリケーション機能（ＮＡＦ）内にセキュリティ要素（鍵）をインストールすることができる技術的機能を更に提供する。例えば、Ｄｉａｍｅｔｅｒプロトコル及びハイパーテキスト転送プロトコル（ｈｔｔｐ）プロトコルを用いることができる。例えば、ｄｉａｍｅｔｅｒの代わりに、ＳＯＡＰを、ＢＳＦとＮＡＦとの間で用いることができる。
【００６２】
このような一般的なセキュリティ関係の保守には、以下の機能要素、すなわち、端末、例えばモバイルフォン、すなわち或る特定のサービスの使用を望むユーザー機器（ＵＥ）、例えば、モバイルＴＶ、ＶｏＬＴＥ、ＶｏＩＰ、ＦＴＰデータ転送、メディアストリーミング、インターネットブラウジング等のためのサービスを提供するアプリケーションサーバー、ネットワークアプリケーション機能（ＮＡＦ）、ＵＥとＮＡＦとの間でセキュリティ関係を確立するネットワークアクセスエンティティ自体、及び、ホームネットワークのデータベース、例えば、その端末ユーザーのそれぞれのユーザー固有プロファイルを管理する、（モバイル）ネットワークプロバイダーのＨＳＳホーム加入者サーバー（ＨＳＳ）又は統合データリポジトリ（ＵＤＲ：unified data repository）が関与する。
【００６３】
ネットワークアクセスエンティティのネットワークアクセス特徴は、或る端末がアプリケーションサーバー（ＮＡＦ）にサービスアクセスを要求した後に、このアプリケーションサーバーによって参照される。アプリケーションサーバーは、この時点ではまだ当該端末を知らないので、まずこれをネットワークアクセス機能に照会する。当該端末及びネットワークアクセス機能は、ここで、互いに認証し合う。これは、例えば、ＡＫＡプロトコル（認証及び鍵共有）を用いることによって、及び、ネットワークアクセス機能をホームネットワークのホーム加入者サーバー（ＨＳＳ）又はＵＤＲデータベースに問い合わせることによって行うことができる。次に、ネットワークアクセス機能及び端末（ＵＥ）は、アプリケーションサーバー（ＮＡＦ）との暗号化データ交換に用いられるセッションキーに関して合意する。ここで再度端末がアプリケーションサーバーを参照する場合、アプリケーションサーバーは、ネットワークアクセス機能からセッションキー及び加入者固有データの双方を取得し、端末（ＵＥ）とのデータ交換を開始することができる。暗号保護には適切なセッションキーが用いられる。
【００６４】
端末とネットワークアクセスエンティティとの間のセキュリティ関係自体は、（モバイル）ネットワークオペレーターの統治を離れることがなく、このセキュリティ関係（鍵）から導出されたデータのみを、アプリケーションによってクエリし、用いることができる。
【００６５】
特に、本開示において説明されるネットワークエンティティは、本開示において以下に説明されるように、特に通信端末のローミング接続の確立についてのローミングシナリオにおいて、緊急呼のサービングを容易にするように意図されている。
【００６６】
図１は、５Ｇ通信ネットワークのシステムアーキテクチャ１００を示す概略図を示している。５Ｇシステムアーキテクチャ１００は、図１の個々のブロックに示されるネットワーク機能を備える。
【００６７】
ＵＥ（ユーザー機器）ブロック１３０は、５Ｇネットワークにおける通信を始動する、すなわち、通信を開始（モバイル発信（ＭＯ：mobile originating））又は受信（モバイル着信（ＭＴ：mobile terminating））するように加入者が動作させることができるユーザー機器、クライアント機器又はモバイル通信デバイスを表している。ＵＥは、ユーザーインタラクションなしで通信を始動することもできる。例えば、ＵＥは、例として車若しくはロボット又は他のデバイス用の機械端末とすることができる。
【００６８】
ブロック（Ｒ）ＡＮ（（無線）アクセスネットワーク）１３１は、ＵＥ１３０が５Ｇ通信ネットワークへのアクセスを取得する（無線）アクセスネットワークを表している。ＵＥ１３０と（Ｒ）ＡＮとの間のインターフェースは、アクセスネットワーク１３１が無線ネットワークである場合にはエアインターフェース、又はアクセスネットワークが有線ネットワークである場合には有線である。
【００６９】
アクセス及びモビリティ管理機能（ＡＭＦ）ブロック１４０は、アクセス及びモビリティ管理機能を表している。ＡＭＦは、ＵＥのアクセス及びモビリティ機能を管理する。ＡＭＦは、ネットワークスライス選択機能も備えることができる。無線アクセスの場合、モビリティ管理は不要である。
【００７０】
セッション管理機能（ＳＭＦ）ブロック１４１は、セッション管理機能を表している。ＳＭＦは、セッションをセットアップし、こうしたセッションをネットワークポリシーに従って管理する。
【００７１】
ユーザープレーン機能（ＵＰＦ）ブロック１３２は、ユーザープレーン機能を表している。ＵＰＦは、サービスタイプに従って種々の構成及びロケーションにおいて適用することができる。
【００７２】
ポリシー制御機能（ＰＣＦ）ブロック１４２は、ポリシー制御機能を表している。ＰＣＦは、ネットワークスライシング、ローミング、及びモビリティ管理を含むポリシーフレームワークを提供する。これは、４ＧシステムにおけるＰＣＲＦ機能に対応する。
【００７３】
ブロックＵＤＭ（統合データ管理）１５２は、共有データ管理を提供する。これは、加入者データ及びプロファイルを保存する。これは、４ＧシステムにおけるＨＳＳ機能に相当するが、ＮＧコアネットワークにおいてモバイルアクセス及び有線アクセスの双方に用いられる。
【００７４】
ブロックＤＮ（データネットワーク）１３３は、例えば或るＵＥから別のＵＥへのデータ送信を媒介するデータネットワークを提供する。
【００７５】
ブロックＡＵＳＦ（認証サーバー機能）１５１は、加入者又はＵＥがネットワークにログオンするのに用いることができる認証機能を提供する。
【００７６】
ＡＦ（アプリケーション機能）ブロック１５１は、いくつかの特定のサービスを実行することを可能にするアプリケーション機能を提供する。
【００７７】
ＮＳＳＦブロック（ネットワークスライス選択機能）１５０は、特定のネットワークスライスを選択する機能を提供する。
【００７８】
図１に示す５Ｇシステムアーキテクチャは、ネットワーク機能（ＮＦ）と、ＮＦを接続する参照点とからなるＮＧ（次世代）ネットワークの構造を表している。ＵＥ１３０は、無線アクセスネットワーク（ＲＡＮ）１３１又はアクセスネットワーク（ＡＮ）１３１に接続される。加えて、ＵＥ１３０は、アクセス及びモビリティ機能（ＡＭＦ）１４０に接続される。ＲＡＮ１３１は、新たなＲＡＴ及びアドバンストＬＴＥ技術を用いる基地局を表し、一方、ＡＮ１３１は、非３ＧＰＰアクセスを有する一般的な基地局、例えばＷｉＦｉアクセスポイントである。次世代コアネットワーク１００は、種々のネットワーク機能（ＮＦ）からなる。図１において、７つの次世代コアＮＦ、すなわち（１）ＡＭＦ１４０、（２）セッション管理機能（ＳＭＦ）１４１、（３）ポリシー制御機能（ＰＣＦ）１４２、（４）アプリケーション機能（ＡＦ）１４３、（５）認証サーバー機能（ＡＵＳＦ）１５１、（６）ユーザープレーン機能（ＵＰＦ）１３２及び（７）ユーザーデータ管理（ＵＤＭ）１５２が存在する。
【００７９】
ネットワーク機能（ＮＦ）は、ＮｅｘｔＧｅｎすなわちＮＧにおける３ＧＰＰから継承された処理機能を表している。ＮＦは、機能挙動を有するとともにインターフェースとして機能する。ＮＦは、専用ハードウェア上のネットワーク要素（又はネットワークエンティティ）として実装することもできるし、専用ハードウェア上のソフトウェアインスタンスとして実装することもできるし、好適なプラットフォーム、例えばクラウドインフラストラクチャ上の仮想化機能としてインスタンス化することもできる。
【００８０】
ＡＭＦ１４０は、ＵＥベースの認証、認可、モビリティ管理等を提供する。ＡＭＦ１４０はアクセス技術から独立しているので、ＵＥ１３０は、基本的に、単一のＡＭＦ１４０に接続される。これは、複数のアクセス技術を備えたＵＥ１３０も、単一のＡＭＦ１４０のみに接続されることを意味する。
【００８１】
ＳＭＦ１４１は、セッション管理を担当し、ＩＰアドレスをＵＥ１３０に割り当てる。加えて、ＳＭＦ１４１は、ＵＰＦ１３２を選択し、ＵＰＦ１３２をデータ転送について制御する。ＵＥ１３０が複数のセッションを有する場合、異なるＳＭＦ１４１を各セッションに関連付けて、こうしたセッションを個々に管理するとともに、場合によっては、セッションごとに複数の機能を提供することができる。
【００８２】
ＡＦ１４３は、パケットフローについての情報を提供するものであり、この情報をＰＣＦ１４２に提供し、ＰＣＦ１４２は、サービス品質（ＱＯＳ）を保証するためにポリシー制御を担当する。この情報に基づいて、ＰＣＦ１４２は、ＡＭＦ１４０及びＳＭＦ１４１が適切に機能するようにモビリティ及びセッション管理ポリシーを確定する。
【００８３】
ＡＵＳＦ１５１は、ＵＥ１３０の認証データを記憶し、一方、ＵＤＭ１５２は、ＵＥ１３０の加入データを記憶する。ＮＧコアネットワーク１００の一部ではないデータネットワークＤＮ１３３は、インターネットアクセス及びオペレーターサービスを提供する。
【００８４】
アーキテクチャの参照点ビューを用いて、次世代（ＮＧ）規格化における詳細なメッセージフローを表すことができる。次世代ＮＧ１  １０１という参照点は、ＵＥ１３０とＡＭＦ１４０との間の送信シグナリングとして定義される。ＡＮ１３１とＡＭＦ１４０との間の接続の参照点及びＡＮ１３１とＵＰＦ１３２との間の接続の参照点は、ＮＧ２  １０２及びＮＧ３  １０３と呼ばれる。ＡＮ１３１とＳＭＦ１４１との間に参照点は存在しないが、ＡＭＦ１４０とＳＭＦ１４１との間には参照点ＮＧ１１  １１１が存在する。これは、ＳＭＦ１４１がＡＭＦ１４０によって制御されることを意味する。ＮＧ４  １０４は、ＳＭＦ１４１及びＵＰＦ１３２によって用いられると、ＳＭＦ１４１からの生成された制御信号を用いてＵＰＦ１３２を設定することが可能になり、ＵＰＦ１３２は、自身のステータスをＳＭＦ１４１に報告することができる。ＮＧ９  １０９は、異なるＵＰＦ１３２間の接続の参照点であり、ＮＧ１４  １１４は、異なるＡＭＦ１４０間の接続の参照点である。ＮＧ１５  １１５及びＮＧ７  １０７は、ＰＣＦ１４２がそのポリシーを、それぞれＡＭＦ１４０及びＳＭＦ１４１に適用するために定義される。ＮＧ１２  １１２は、ＡＭＦ１４０がＵＥ１３０の認証を実行するために必要とされる。ＮＧ８  １０８及びＮＧ１０  １１０は、ＵＥ１３０の加入データがＡＭＦ１４０及びＳＭＦ１４１によって必要とされるので定義される。
【００８５】
次世代ネットワーク１００は、ユーザーと制御又は制御レベルとの分離を実現することを目的とする。ユーザーレベルは、ユーザートラフィックを送信し、一方、制御レベルは、ネットワーク上にシグナリングを送信する。図１において、ＵＰＦ１３２は、ユーザープレーン内にあり、他の全てのネットワーク機能、すなわちＡＭＦ１４０、ＳＭＦ１４１、ＰＣＦ１４２、ＡＦ１４３、ＡＵＳ１５１及びＵＤＭ１５２は、制御プレーン内にある。ユーザープレーンと制御プレーンとの分離によって、各ネットワークレベルにおいてリソースの独立したスケーリングが保証される。この分離によって、制御プレーンの機能から分離した分散方式でＵＰＦ１３２のプロビジョニングも可能になる。
【００８６】
ＮＧアーキテクチャ１００は、モジュール化した機能からなる。例えば、ＡＭＦ１４０及びＳＭＦ１４１は、制御プレーン内の独立した機能である。分離したＡＭＦ１４０及びＳＭＦ１４１によって、独立した開発及びスケーリングが可能になる。ＰＣＦ１４２及びＡＵＳＦ１５１等、他の制御プレーン機能を、図１に示すように分離することができる。図１に示すモジュール化した機能設計によって、次世代ネットワーク１００が種々のサービスを柔軟にサポートすることも可能になる。
【００８７】
各ネットワーク機能は、別のＮＦと直接インタラクトする。制御レベルにおいて、２つのＮＦ間の一連のインタラクションは、再利用することができるように一サービスとして定義される。このサービスによってモジュール性のサポートが可能になる。ユーザーレベルは、異なるＵＰＦ１３２間のフォワーディング動作等のインタラクションをサポートする。
【００８８】
次世代ネットワーク１００は、ＥＰＳ（発展型パケット交換）に類似のローミングをサポートする。ホームルート（ＨＲ：Home Routed）及びローカルブレイクアウト（ＬＢＯ）という２種類の応用シナリオが存在する。本明細書で提示される概念に従ってローミング及び対応するセッション管理をサポートする構造については、以下により詳細に説明する。
【００８９】
図２は、本開示による、ネットワークスライス２４０及び緊急ネットワークスライス２５０を有する、ローミングＵＥの訪問先通信ネットワークとすることができる一例示的な通信ネットワーク２００、例えば公衆陸上モバイルネットワーク（ＰＬＭＮ）を示す概略図を示している。
【００９０】
通信ネットワーク２００、例えば公衆陸上モバイルネットワーク（ＰＬＭＮ）は、複数のユーザー機器（ＵＥ）２０２（簡単にするため、図２には１つのＵＥのみを示している）をサービングする１つ以上のネットワークスライス２４０と、ＵＥ２０２の緊急メッセージをサービングする緊急ネットワークスライス２５０とを備える。本明細書においてローカルＰＬＭＮネットワークスライス２４０とも表記されるネットワークスライス２４０及び緊急ネットワークスライス２５０は双方とも、５Ｇシステムアーキテクチャについて図１に関して上述したようなネットワーク構造及び機能を有することができる。通信ネットワーク２００は、複数のそのようなネットワークスライス２４０を有することができるが、簡単にするため、ここでは１つのネットワークスライス２４０のみを示している。ネットワークスライス２４０は、図２に示したようなスライス識別子（スライスＩＤ）によってアドレス指定することができる。ローカルＰＬＭＮネットワークスライス２４０は、無線ネットワークアクセス（ＲＡＮ）エンティティ２４１と、ＡＭＦエンティティ２４２と、図１に関して上述したような更なるネットワークエンティティとを備える。無線ネットワークアクセス（ＲＡＮ）エンティティ２４１及びＡＭＦエンティティ２４２は双方とも、アクセスネットワークエンティティと呼ぶことができる。通信ネットワーク２００は、このネットワーク２００がＵＥ２０２のローカル距離内にある、すなわち、ローカルＰＬＭＮ２００の基地局若しくはアクセスポイント又は無線セルがＵＥの無線カバレッジ内にあり、ＵＥがこのローカルＰＬＭＮ２００に接続することができるので、ＵＥについてローカル通信ネットワーク（又はローカルＰＬＭＮ）を形成する。
【００９１】
緊急ネットワークスライス２５０は、（緊急）無線ネットワークアクセス（ＲＡＮ）エンティティ２５１、（緊急）ＡＭＦエンティティ２５２、（緊急）ＳＭＦエンティティ２５３、（緊急）ユーザープレーン機能（ＵＰＦ）、ＩＰマルチメディアサブシステム（ＩＭＳ）アプリケーション機能（ＡＦ）及び図１に関して上述したような更なるネットワークエンティティを備える。ＡＦ  ＩＭＳエンティティ２５５は、例えばＶｏＩＰに基づいて音声呼２５６を確立し、緊急呼をサービングするのに用いることができる。緊急ネットワークスライス２５０は、ローカルＰＬＭＮ２００の内部又はローカルＰＬＭＮ２００の外部に位置することができるＰＳＡＰ２６０に結合される。無線ネットワークアクセス（ＲＡＮ）エンティティ２４１及びＡＭＦエンティティ２４２は双方とも、アクセスネットワークエンティティと呼ぶことができる。緊急ネットワークスライス２５０のＡＭＦ２５２は、新たな通信インターフェースＥ１を介して、ローカルＰＬＭＮネットワークスライス２４０のＲＡＮエンティティ２４１に結合され、新たな通信インターフェースＥ２を介してローカルＰＬＭＮネットワークスライス２４０のＡＭＦエンティティ２４２に結合される。ＵＥ２０２は、図１に関して上述したように、エアインターフェース２０３を介してローカルＰＬＭＮネットワークスライス２４０のＲＡＮエンティティ２４１に接続するか、又は、Ｎ２インターフェースを介してローカルＰＬＭＮネットワークスライス２４０のＡＭＦエンティティ２４２に接続することができる。ＵＥ２０２は、接続２０５を介して緊急ネットワークスライス２５０のＲＡＮエンティティ２５１に（又はＡＭＦエンティティ２５２にも）更に接続することができる。ＵＥ２０２は、例えば「１１０」又は「９１１」等の緊急番号をダイアルすることによって、ローカルＰＬＭＮネットワークスライス２４０に緊急メッセージ２０４を送信することができる。
【００９２】
具体的には、通信ネットワークにおいて緊急メッセージ２０４を処理する方法は、以下のステップを含む。
【００９３】
第１のステップにおいて、ＵＥ２０２は、緊急メッセージ２０４を、アクセスネットワークエンティティ、例えば、通信ネットワーク２００のネットワークスライス２４０のＲＡＮエンティティ２４１又はＡＭＦエンティティ２４２に送信する。緊急メッセージ２０４は、緊急識別子（Ｅ＿ＩＤ）、例えば「１１０」又は「９１１」等の番号を含む。
【００９４】
第２のステップにおいて、通信ネットワーク２００のネットワークスライス２４０のアクセスネットワークエンティティ２４１、２４２は、緊急メッセージ２０４が緊急事態に関連していることを、Ｅ＿ＩＤに基づいて検出する。
【００９５】
第３のステップにおいて、緊急メッセージ２０４は、緊急事態の検出に基づいて、アクセスネットワークエンティティ２４１、２４２によって通信ネットワーク２００の緊急ネットワークスライス２５０にフォワードされる。
【００９６】
第４のステップにおいて、緊急ネットワークスライス２５０は、ＵＥ２０２と、緊急メッセージ２０４を処理する緊急応答機関（ＰＳＡＰ）２６０との間に通信リンクを確立する。
【００９７】
緊急メッセージ２０４は、図２に示したように、アクセスネットワークエンティティ、例えば、通信ネットワーク２００のネットワークスライス２４０のＲＡＮエンティティ２４１又はＡＭＦエンティティ２４２と、アクセスネットワークエンティティ、例えば緊急ネットワークスライス２５０のＡＭＦエンティティ２５２との間の専用通信インターフェース（Ｅ１、Ｅ２）を介して、緊急ネットワークスライス２５０にフォワードすることができる。
【００９８】
ルーティングテーブルは、アクセスネットワークエンティティ、例えば、通信ネットワーク２００のネットワークスライス２４０のＲＡＮエンティティ２４１又はＡＭＦエンティティ２４２において、緊急メッセージ２０４を緊急ネットワークスライス２５０にフォワードするように構成することができる。ルーティングテーブルには、ＵＥ２０２の識別子ＵＥ  ＩＤ、例えばＳＩＭ  ＩＤ、ＩＭＳＩ、ＩＭＥＩ、ＭＡＣアドレス又はＩＰアドレス、及び、専用通信インターフェースＥ１、Ｅ２の識別子、例えば、それぞれのインターフェースＥ１、Ｅ２のＭＡＣアドレス又はネットワークアドレスに基づいて、ＵＥ２０２と、緊急ネットワークスライス２５０、例えば緊急ネットワークスライス２５０のＡＭＥエンティティ２５２との間のルートを作成することができる。ＵＥ  ＩＤを緊急メッセージ２０４に含めることができ、専用通信インターフェースＥ１、Ｅ２の識別子は既知である。このＵＥ２０２と緊急ネットワークスライス２５０との間のルートについて、緊急ネットワークスライス２５０に向けられていないルーティングテーブル内の他のルートに対して優先度を上げることができる。したがって、緊急メッセージが最初に処理される。
【００９９】
一例示的な実施態様では、アクセスネットワークエンティティ、例えば、ネットワークスライス２４０（ローカルＰＬＭＮ  ＮＷスライス）のＲＡＮエンティティ２４１又はＡＭＦエンティティ２４２は、緊急メッセージを処理するように構成される緊急ネットワークスライス２５０の特定のＲＡＮエンティティ２５１に接続する（２０５）ようにＵＥ２０２に要求するか又は示すハンドオーバーメッセージをＵＥ２０２に送信する。その後、優先無線要素及び優先コアネットワーク要素を介して、ＵＥの緊急通信をＰＳＡＰ２６０に向けることができる。緊急ネットワークスライス２５０の特定のＲＡＮエンティティ２５１は、通信ネットワーク２００の専用緊急ＲＡＮエンティティ２５１とすることもできるし、或いは、ＲＡＮリソースが緊急メッセージを処理するのに予約される通信ネットワーク２００のネットワークスライス２４０又は別のネットワークスライスのアクセスネットワークエンティティ２４１のＲＡＮリソースから形成することもできる。
【０１００】
一例示的なローミングシナリオでは、アクセスネットワークエンティティ、例えばネットワークスライス２４０のＲＡＮエンティティ２４１又はＡＭＦエンティティ２４２は、緊急メッセージがローミングＵＥ２０２からのものであるか否か又はそうであることを検出することができる。この検出は、緊急メッセージ２０４内に含まれるＵＥ２０２の識別子ＵＥ  ＩＤに基づくことができる。ローミングシナリオが検出された場合、通信ネットワーク２００内で緊急メッセージ２０４を処理するために、緊急メッセージ２０４を、ローミングＵＥ２０２から緊急ネットワークスライス２５０にフォワードすることができる。
【０１０１】
通信ネットワーク２００のネットワークスライス２４０のアクセスネットワークエンティティ（２４１、２４２）は、ＵＥのロケーションを検出して、ロケーション識別子、特にＵＥ２０２のロケーションエリアコード（ＬＡＣ）又は追跡エリアコード（ＴＡＣ）を取得することができる。緊急メッセージ２０４をロケーション識別子とともに緊急ネットワークスライス２５０にフォワードすることができる。緊急ネットワークスライス２５０は、ボイスオーバーＩＰ機能を有効にする特定のＩＰマルチメディアサブシステム（ＩＭＳ）アプリケーション機能（ＡＦ）をＥ＿ＩＤに基づいて決定することができる。緊急ネットワークスライス２５０は、特定のＩＭＳ  ＡＦに基づいてＵＥとＰＳＡＰ２６０との間に通信リンクを確立することができる。具体的には、緊急ネットワークスライス２５０は、ＵＥ２０２のロケーションと緊急メッセージ２０４のタイプとに基づいて、複数のＰＳＡＰから、緊急メッセージ２０４を処理するＰＳＡＰ２６０を決定することができる。
【０１０２】
緊急応答機関（ＰＳＡＰ）とは、例えば警察、消防及び救急車サービスの緊急電話番号への呼に応答することを担当するコールセンターである。訓練された電話オペレーターは、通常こうした緊急サービスを派遣することも担当する。大抵のＰＳＡＰは、固定電話呼の発呼者位置特定が可能であり、モバイルフォン会社がハンドセット位置特定システムを有する場合、多くのＰＳＡＰは、モバイルフォン位置特定もハンドリングすることができる。いくつかのＰＳＡＰは、音声ブロードキャスティングを用いることもでき、化学薬品の漏洩又は悪天候条件等、ローカルな緊急事態を人々にアラートするために、発信音声メールを多くの電話番号に同時に送信することができる。
【０１０３】
図２は、ローカルＰＬＭＮ（又は訪問先ＰＬＭＮ）の緊急ネットワークスライス２５０を描写している。こうした緊急ネットワークスライス２５０は、ネットワークアクセスエンティティ２５２、特に図２に示したＡＭＦエンティティ２５２と、図１におけるシステムアーキテクチャについて上述したような更なるネットワーク要素とを含む。ＡＭＦエンティティ２５２は、通信ネットワーク２００のネットワークスライス２４０を介してユーザー機器（ＵＥ）２０２から緊急メッセージ２０４を受信するように構成される。緊急メッセージ２０４は、緊急識別子（Ｅ＿ＩＤ）及びＵＥの識別番号（ＵＥ  ＩＤ）を含む。ＡＭＦエンティティ２５２は、Ｅ＿ＩＤ及びＵＥ  ＩＤに基づいて、ＵＥと緊急メッセージ２０４を処理する緊急応答機関（ＰＳＡＰ）２６０との間の通信リンクを確立するように更に構成される。
【０１０４】
ＡＭＦエンティティ２５２は、ボイスオーバーＩＰ機能を有効にする特定のＩＰマルチメディアサブシステム（ＩＭＳ）アプリケーション機能（ＡＦ）を、Ｅ＿ＩＤに基づいて決定し、特定のＩＭＳ  ＡＦに基づいてＵＥとＰＳＡＰ２６０との間の通信リンクを確立するように更に構成される。
【０１０５】
以下、緊急メッセージ２０４を処理するメッセージ送信の一例示的な手順が説明される。
【０１０６】
１）ＵＥ２０２のユーザーが緊急番号、例えば「１１０」又は「９１１」をダイアルする。
２）ＵＥ２０２が緊急番号を検出し、一時的に他のサービスを無効にする。
３）ＵＥ２０２がローカル訪問先ＰＬＭＮ２００に対する緊急呼セッション番号を始動し、緊急呼２０４をシグナリングする。
４）緊急呼セッションセットアップがＲＡＮ２４１に到達し、ＡＭＦ２４２に続く。
５）ＡＭＦ２４２が、そのセッションが緊急呼セッションであることを認識し、特別な緊急呼スライス２５０に呼をルーティングする。或いは、
５ａ）ＲＡＮ２４１が、そのセッションが緊急呼セッションであることを認識し、ローカルＰＬＭＮ２００（インバウンドローマー（in-bound roamer）にとってのＶＰＬＭＮ２００）の特別な緊急呼スライス２５０においてＡＭＦ２５２に呼をルーティングする。
６）ＡＭＦ２４２又は緊急呼スライス２５０におけるＡＭＦ２５２が、ロケーション検出、すなわち呼がどこから送信されたか、ＳＩＭ  ＩＤ、ＩＭＥＩ、ロケーションエリアコードがいずれであるか等の検出を実行する。
７）緊急呼スライス２５０において、特定のＶｏＩＰシステムＰＳＡＰが選択され（２５５）、緊急呼のロケーション及びタイプに基づいて特定のＰＳＡＰ２６０が選択される。
８）緊急呼が、選択されたＰＳＡＰ２６０にルーティングされる。
９）通信パスがＰＳＡＰ２６０とＵＥ２０２との間に確立される。緊急呼が動作される。
【０１０７】
図３は、本開示による、一例示的なアクセスネットワークエンティティ３００、例えば、ローカルＰＬＭＮ２００のネットワークスライス２４０のＲＡＮエンティティ２４１又はＡＭＦエンティティ２４２のブロック図を示している。アクセスネットワークエンティティ３００、２４１、２４２は、例えば図２に関して上述したように、ユーザー機器（ＵＥ）２０２から緊急メッセージ２０４を受信するように構成されるとともに、緊急メッセージ２０４を通信ネットワーク２４０の緊急ネットワークスライス２５０に送信するように構成された通信インターフェース３０２を備える。緊急メッセージ２０４は、緊急識別子（Ｅ＿ＩＤ）を含む。アクセスネットワークエンティティ３００は、プロセッサ３０１を更に備える。このプロセッサ３０１は、緊急メッセージ２０４が緊急事態に関連することをＥ＿ＩＤに基づいて検出するように構成され、緊急事態がＥ＿ＩＤに基づいて検出された場合、通信インターフェース３０２を介して緊急メッセージ２０４を緊急ネットワークスライス２５０にフォワードするように更に構成される。Ｅ＿ＩＤ、例えば「１１０」、「１１２」又は「９１１」等、特定の緊急番号が緊急メッセージ２０４内に存在する場合、緊急事態を検出することができる。
【０１０８】
アクセスネットワークエンティティ３００、２４１、２４２は、緊急メッセージ２０４を緊急ネットワークスライス２５０にフォワードするルートを記憶するように構成された、図２に関して上述したようなルーティングテーブルを含むことができる。プロセッサ３０１は、緊急ネットワークスライス２５０に向けられたルーティングテーブルのルートの優先順位を、緊急ネットワークスライス２５０に向けられていないルーティングテーブルの他のルートに対して上げるように構成することができる。
【０１０９】
一例示的な実施態様では、以下の例示的な機能を、図２で説明したようなローカルＰＬＭＮ２００によって実装することができる。
【０１１０】
１）ＰＳＡＰ２６０は常に、ローカルネットワーク２００、すなわち訪問先ＰＬＭＮ内でのローミング事例において存在することができる。
２）匿名の緊急呼が可能である。すなわち、ＵＥ内のＳＩＭカードを用いない。
３）認証された緊急呼は不要であり、いかなる緊急呼もサービングすることができる。
４）訪問先ローカルＮＷ内の所有スライスを、緊急呼シナリオ、特にインバウンドローマーのために設置することができる。
５）緊急呼スライスが優先される。
６）このスライスは、いずれの緊急番号が利用可能であるかをＵＥに示すことができるか、又はＵＥ２０２は緊急番号を記憶している。
７）緊急番号をダイアルすることによって、ＵＥ２０２が緊急呼スライスを介して緊急呼を始動し、ネットワークは緊急呼を検出する。
【０１１１】
この機能は以下の利点を提供する。緊急ネットワークスライスは、緊急呼のために予約された特定のネットワークリソースを表す。したがって、特別なリソースがこうした緊急呼に利用可能であるので、緊急事態をより高速に処理することができる。したがって、緊急呼スライス（ＲＡＮ及びコアネットワークスライスからなることができる）は、緊急呼が当該スライスを離れる必要がなく、優先され、ローカルにルーティングされ得るように提供される。緊急呼は、ＶｏＩＰサービスを介して送信することができる。
【０１１２】
図４は、本開示による、通信ネットワーク、特にローカル通信ネットワーク２００のネットワークスライス内で緊急メッセージを処理する一例示的な方法４００を示す概略図を示している。
【０１１３】
第１のステップ４０１において、方法４００は、例えば図２及び図３に関して上述したように、ユーザー機器（ＵＥ）によって、通信ネットワーク２００のネットワークスライス２４０のアクセスネットワークエンティティ２４１、２４２に緊急メッセージ２０４を送信することであって、緊急メッセージ２０４は緊急識別子（Ｅ＿ＩＤ）を含むことを含む。
【０１１４】
第２のステップ４０２において、方法４００は、例えば図２及び図３に関して上述したように、ネットワークスライス２４０のアクセスネットワークエンティティ２４１、２４２によって、Ｅ＿ＩＤに基づいて、緊急メッセージ２０４が緊急事態に関連していることを検出することを含む。
【０１１５】
第３のステップ４０３において、方法４００は、例えば図２及び図３に関して上述したように、緊急事態の検出に基づいて緊急メッセージ２０４を通信ネットワーク２００の緊急ネットワークスライス２５０にフォワードすることを含む。
【０１１６】
第４のステップ４０４において、方法４００は、例えば図２及び図３に関して上述したように、緊急ネットワークスライス２５０によって、ＵＥ２０２と、緊急メッセージ２０４を処理する緊急応答機関（ＰＳＡＰ）２６０との間の通信リンクを確立することを含む。
【０１１７】
方法４００は、例えば図２及び図３に関して上述した方法ステップに従う等、更なるステップを含むことができる。
【０１１８】
本発明の別の態様は、コンピューター又はプロセッサ上で実行されると、上述した方法４００又は機能を実行するプログラムコードを含むコンピュータープログラム製品に関する。方法４００は、非一時的コンピューター媒体上で記憶することができるプログラムコードとして実施することができる。コンピュータープログラム製品は、図２〜図４に関して上述した技法を実施することができる。
【０１１９】
本開示の或る特定の特徴又は態様を、いくつかの実施態様又は実施形態のうちの１つに関してのみ開示してきたが、こうした特徴又は態様を、任意の所与の又は特定の応用の場合に望ましいかつ有利であり得る他の実施態様又は実施形態の１つ以上の他の特徴又は態様と組み合わせることができる。さらに、「含む／備える（include）」、「有する（have）」、「備える（with）」という用語又はその他の変形が、詳細な説明又は特許請求の範囲において用いられる限りにおいて、こうした用語は、「含む／備える（comprise）」という用語と同様に包括的であることを意図している。また、「例示的な（exemplary）」、「例えば（"for example" and " e.g."）」という用語は、最良又は最適ではなく、単に一例として意図している。「結合された（coupled）」及び「接続された（connected）」という用語を派生形とともに用いる場合があるが、こうした用語は、２つの要素が、互いに直接の物理的接触又は電気的接触があるか又は直接の接触がないかにかかわらず、互いに協調又は相互作用することを示すのに用いる場合があることを理解されたい。
【０１２０】
本明細書において特定の態様を図示及び説明してきたが、代替の実施態様及び／又は均等な実施態様の変形形態を、本開示の範囲から逸脱することなく、図示及び説明した特定の態様の代用とすることができることを、当業者であれば理解されたい。本願は、本明細書において論述した特定の態様の任意の適応形態又は変形形態を包含するように意図している。
【０１２１】
添付の特許請求の範囲における要素は、或る特定の順序で列挙しているが、特許請求の範囲の列挙が、そうした要素のいくつか又は全てを実施する特定の順序を暗示していない限り、こうした要素は、必ずしもその特定の順序で実施することに限定されないことを意図している。
【０１２２】
多くの代替形態、変更形態及び変形形態が、上記の教示に鑑みて当業者には明らかであるだろう。当然ながら、本明細書において説明した応用以外に本発明の多数の応用が存在することを、当業者であれば容易に認識するだろう。本発明を１つ以上の特定の実施形態に関して説明してきたが、本発明の範囲から逸脱することなく、多くの変更をそうした実施形態に行うことができることを、当業者であれば認識する。したがって、添付の特許請求の範囲及びその均等物内で、本発明を本明細書において具体的に説明した以外の方法で実践することができることを理解されたい。
【図１】
2021507636.tif 000003
【図２】
2021507636.tif 000004
【図３】
2021507636.tif 000005
【図４】
2021507636.tif 000006
【国際調査報告】
2021507636.tif 000007
2021507636.tif 000008
2021507636.tif 000009
2021507636.tif 000010